(57)【特許請求の範囲】
【請求項１】
熱媒流通管を備えた板状基材の表面に均熱用の金属製均熱シートを設けて放熱パネルを構成し、前記均熱シートを上側に位置させる状態で前記放熱パネルを敷設するとともに、前記放熱パネルの上面に床仕上げ材を敷設した床暖房システムの床仕上げ材の種別判別方法であって、
前記床仕上げ材の上から、前記均熱シートの位置を検出し、その検出結果に基づいて前記床仕上げ材の厚みを計測し、計測厚みに基づいて前記床仕上げ材の種別を判別することを特徴とする床暖房システムの床仕上げ材の種別判別方法。
【請求項２】
請求項１に記載の床暖房システムの床仕上げ材の種別判別方法において、
床仕上げ材に荷重を掛けない状態で前記床仕上げ材の厚みを計測して非荷重厚みとするとともに、前記床仕上げ材に荷重を掛けた状態で前記床仕上げ材の厚みを計測して荷重厚みとし、前記非荷重厚みと荷重厚みとの差に基づいて前記床仕上げ材の種別を判別する床暖房システムの床仕上げ材の種別判別方法。
【発明の詳細な説明】
【技術分野】
【０００１】
本発明は、床暖房システムの床仕上げ材の種別判別方法に関する。
【背景技術】
【０００２】
床暖房システムとしては、一般に、次のように構成されている。
すなわち、暖房対象空間である室内などに、放熱パネルと合板製のダミーパネルとが敷設され、それらのパネルの上部に床仕上げ材が敷設されている。
放熱パネルが、上面側に温水パイプなどの熱媒流通管を備えた板状基材の表面に均熱用の均熱シートを設けて構成され、この放熱パネルが均熱シートを上側に位置させる状態で敷設されている。
【０００３】
このような床暖房システムでは、放熱パネルに供給する熱量を増やせば増やすほど室内への放熱量を増加させて暖房性能を高めることができる。ところが、放熱量を増やし過ぎると床仕上げ材の表面の温度が高くなり過ぎ、放熱パネルに供給する熱量を設定する必要がある。
また、床仕上げ材として、厚みの異なるものが使用されており、厚みが大きいときに供給熱量が少ないと、能力不足となり、運転開始初期においては、床仕上げ材の表面温度が所定の温度にまで上昇する時間が長くなって快適性が低下する不都合があった。一方、厚みが小さいときに運転開始初期の供給熱量が過剰になると、床仕上げ材の表面の温度が高くなり過ぎるとともに、一定温度にまで下がるのに時間を要し、皮膚を床仕上げ材の表面に密着させた状態で比較的長い時間寝てしまったようなときに低温やけどを生じる虞があるといった不都合があった（特許文献１参照）。
【先行技術文献】
【特許文献】
【０００４】
【特許文献１】特開２０１１−１７４６８２号公報
【発明の概要】
【発明が解決しようとする課題】
【０００５】
前述のような不都合を回避するために、従来では、床暖房システムの設置計画の段階で、敷設予定の床仕上げ材の厚みなどを考慮して運転開始初期の供給熱量の設定や制御方法の設定を決定していた。
しかしながら、施工途中での設計変更や設定忘れなどに起因して、誤った設定のままとなり、適切な初期設定が行われないまま運転されるといった不都合があった。すなわち、従来では、一旦床暖房システムが施工されると、実際に敷設された床仕上げ材の厚みを確認することができなかったからである。
【０００６】
本発明は、このような事情に鑑みてなされたものであって、請求項１に係る発明は、床暖房システムの施工後でも実際に敷設された床仕上げ材の種別を判別して、床暖房システムを快適に運転する上での有用性を向上できるようにすることを目的とし、請求項２に係る発明は、より良好に床仕上げ材の種別を判別して、床暖房システムを快適に運転する上での有用性を一層向上できるようにすることを目的とする。
【課題を解決するための手段】
【０００７】
請求項１に係る発明は、上述のような目的を達成するために、
熱媒流通管を備えた板状基材の表面に均熱用の金属製均熱シートを設けて放熱パネルを構成し、前記均熱シートを上側に位置させる状態で前記放熱パネルを敷設するとともに、前記放熱パネルの上面に床仕上げ材を敷設した床暖房システムの床仕上げ材の種別判別方法であって、
前記床仕上げ材の上から、前記均熱シートの位置を検出し、その検出結果に基づいて前記床仕上げ材の厚みを計測し、計測厚みに基づいて前記床仕上げ材の種別を判別することを特徴としている。
【０００８】
（作用・効果）
請求項１に係る発明の床暖房システムの床仕上げ材の種別判別方法の構成によれば、床仕上げ材の放熱パネル側に、放熱パネルの熱媒流通管からの熱を平面方向に迅速かつ均一に伝達拡散させるためにアルミ箔などの金属製均熱シートが用いられていることに着目し、その均熱シートの位置を検出することで床仕上げ材の厚みを求め、その床仕上げ材の種別を判別する。
したがって、床暖房システムの施工後であっても、実際に敷設された床仕上げ材の種別を適切に判別し、その種別に基づいて、運転開始初期における供給熱量の設定や制御方法の設定を行うことができるから、床暖房システムを快適に運転する上での有用性を向上できる。
【０００９】
請求項２に係る発明は、前述のような目的を達成するために、
請求項１に記載の床暖房システムの床仕上げ材の種別判別方法において、
床仕上げ材に荷重を掛けない状態で前記床仕上げ材の厚みを計測して非荷重厚みとするとともに、前記床仕上げ材に荷重を掛けた状態で前記床仕上げ材の厚みを計測して荷重厚みとし、前記非荷重厚みと荷重厚みとの差に基づいて前記床仕上げ材の種別を判別するものである。
【００１０】
（作用・効果）
請求項２に係る発明の床暖房システムの床仕上げ材の種別判別方法の構成によれば、床仕上げ材として、防音性能を備えさせたものでは、硬質木材にクッション材を重ねて構成されるため、木質フローリングの床仕上げ材より薄くても熱の伝わりが遅いとか、使用状態では人の重みによって薄くなるなど、熱の伝達度合いが違ってくる。このような違いに対処するものであり、請求項２に係る発明の床暖房システムの床仕上げ材の種別判別方法の構成によれば、荷重を掛けた状態での厚みの変化をも考慮し、非荷重厚みと荷重厚みとの差、すなわち、荷重による厚みの変化を求め、それに基づいて床仕上げ材の種別を判別する。
したがって、厚みの変化が大きいものは、クッション材を重ね合わせている防音フローリングの床仕上げ材であるといったように種別を細かく判別でき、より良好に床仕上げ材の種別を判別して、運転開始初期における供給熱量の設定や制御方法の設定を行うことができるから、床暖房システムを快適に運転する上での有用性を一層向上できる。
【図面の簡単な説明】
【００１１】
【図１】本発明に係る床暖房システムの設備構成を示す概略縦断面図である。
【図２】図１の一部切欠き平面図である。
【図３】要部の縦断面図である。
【図４】本発明に係る床暖房システムの床仕上げ材の種別判別方法の説明に供する図３の要部の拡大断面図であり、（ａ）は厚み計を床仕上げ材上に載置した状態を示し、（ｂ）は厚み計に荷重を掛けた状態を示す。
【図５】床暖房システムの制御系の構成を示すブロック図である。
【図６】本発明に係る床暖房システムの床仕上げ材の種別判別方法の説明に供するフローチャートである。
【発明を実施するための最良の形態】
【００１２】
次に、本発明の実施例を図面に基づいて詳細に説明する。
図１は、本発明に係る床暖房システムの設備構成を示す概略縦断面図、図２は、図１の一部切欠き平面図であり、暖房対象空間である室内１などの床に、放熱パネル２と合板製のダミーパネル３とが敷設され、それらのパネル２，３の上部に床仕上げ材４が敷設されている。
【００１３】
図３の要部の縦断面図、および、図４の要部の拡大断面図に示すように、放熱パネル２が、上面側に温水パイプなどの熱媒流通管５を備えた板状基材６の表面に、アルミ箔などの均熱用の均熱シート７を設けて構成され、この放熱パネル２が均熱シート７を上側に位置させる状態で敷設されている。
【００１４】
図４の（ａ）の要部の拡大断面図に示すように、床仕上げ材４上に厚み計８を載置し、床仕上げ材４に荷重を掛けない状態で床仕上げ材４の厚みを計測して非荷重厚みとし、一方、図４の（ｂ）の要部の拡大断面図に示すように、床仕上げ材４に荷重Ｗを掛けた状態で床仕上げ材４の厚みを計測して荷重厚みとし、非荷重厚みと荷重厚みとの差に基づいて床仕上げ材４の種別を判別するようになっており、次に説明する。
【００１５】
図５は、床暖房システムの制御系の構成を示すブロック図であり、厚み計８が床暖房リモコン９に接続され、その床暖房リモコン９に熱源機１０が接続されている。後述する運転開始初期の設定値の設定が完了した後は、厚み計８は床暖房リモコン９との接続を解除される。
厚み計８は、コイルに電流を流し、金属体との距離によって発生する渦電流の値が変化することを利用して、出力電圧値を計測することにより、均熱シート７までの距離、すなわち床仕上げ材４の厚みを計測するように構成されている。
【００１６】
熱源機１０には、試運転スイッチ１１、熱媒流通管５に流す温水を生成する燃焼バーナ１２、その燃焼バーナ１２に供給する燃料ガスの流量を調整するガス流量制御弁１３、ガス流路を開閉して燃料ガスの供給または供給停止を行うガス流路開閉弁１４、熱媒流通管５に流す温水の流量を調整する循環ポンプ１５、および、熱媒流通管５に供給する温水の温度を測定する水温センサ１６が備えられている。
【００１７】
床暖房リモコン９には、室温センサ１７、温度設定部１８、運転スイッチ１９、制御部２０、ブザー２１および運転ランプ２２が備えられている。
制御部２０には、床仕上げ材４の種別を判別する床仕上げ材種別判別手段２３、制御方式格納部２４、通水温度制御手段２５および試運転禁止手段２６が備えられている。
床仕上げ材種別判別手段２３には、床仕上げ材４が木質フローリングか防音フローリングかを判別する木質・防音判別手段２７と、制御方式選択手段２８とが備えられている。
制御方式選択手段２８では、次の第１の制御方式か第２の制御方式かを選択するようになっている。
第１の制御方式：運転開始初期に温度７５℃の温水を６０分間強制的に流し、６０分経過した後の定常状態では、床暖房リモコン９の温度設定レベルに応じて温度６０℃の温水を断続的に流す
第２の制御方式：運転開始初期に温度７５℃の温水を６０分間強制的に流し、６０分経過した後の定常状態では、床暖房リモコン９の温度設定レベルに応じて温度７５℃の温水を断続的に流す
これらの第１および第２の制御方式それぞれにおける、運転開始初期から定常状態にわたって制御される温水温度ならびに通湯時間のことを「運転開始初期の設定値」と称する。
運転開始初期ならびに定常状態における温水温度と通湯時間は、床仕上げ材４の厚みを考慮して設定される。
【００１８】
制御方式格納部２４には、前述した第１および第２の制御方式それぞれに対応する運転開始初期の設定値が格納され、床仕上げ材種別判別手段２３の制御方式選択手段２８で床仕上げ材４の種別に対応した制御方式を選択するに伴い、その選択された制御方式の運転開始初期の設定値が通水温度制御手段２５に設定されるようになっている。
通水温度制御手段２５では、運転スイッチ１９のＯＮで運転を開始するに伴い、水温センサ１６で測定される温水温度が運転開始初期の設定値で設定される温水温度になるように、熱源機１０のガス流量制御弁１３および循環ポンプ１５を制御するようになっている。また、定常状態を経た後は、室温センサ１７で測定される室温が温度設定部１８で設定される室温になるように、熱源機１０のガス流量制御弁１３、ガス流路開閉弁１４および循環ポンプ１５を制御するようになっている。
試運転禁止手段２６では、試運転スイッチ１１がＯＮに操作されても、床仕上げ材種別判別手段２３の制御方式選択手段２８で床仕上げ材４の種別に対応した制御方式を選択し、その選択された制御方式の運転開始初期の設定値が通水温度制御手段２５に設定されるまで、試運転が開始されることを禁止するようになっている。
【００１９】
次に、床仕上げ材種別判別手段２３の動作につき、図６のフローチャートを用いて説明する。
先ず、厚み計８を床仕上げ材４の上に載置して〔図４の（ａ）参照〕作業者が床暖房リモコン９に厚み計８を接続するに伴い、その接続されたことをステップＳ１で判断してステップＳ２に移行し、運転ランプ２２を点滅して運転開始初期の設定値の設定中であることを報知してからステップＳ３に移行する。
ステップＳ３において、厚み計８によって、荷重を掛けない状態で床仕上げ材４の厚み（実際は厚みに対応した出力電圧値であるが、以下、厚みとして説明する）を計測し、それを非荷重厚みＴ１として床仕上げ材種別判別手段２３の木質・防音判別手段２７に受信させて格納するとともに、非荷重厚みＴ１の受信が完了したことをブザー２１で知らせる（Ｓ４）。
【００２０】
次いで、作業者に、厚み計８を介して床仕上げ材４に荷重Ｗを掛けさせ、その荷重Ｗを掛けた状態で床仕上げ材４の厚みを計測し、それを荷重厚みＴ２として床仕上げ材種別判別手段２３の木質・防音判別手段２７に受信させる（Ｓ５）とともに、荷重厚みＴ２の受信が完了したことをブザー２１で知らせる（Ｓ６）。
次いで、非荷重厚みＴ１と荷重厚みＴ２の差ΔＴ（＝Ｔ１−Ｔ２）を算出して（Ｓ７）から、ステップＳ８に移行する。
【００２１】
ステップＳ８では、差ΔＴがゼロ（０）に近いかどうかを判断する。すなわち、このステップ８が、床仕上げ材種別判別手段２３の木質・防音判別手段２７に相当する。差ΔＴがゼロ（０）に近いとき、すなわち、荷重Ｗを掛けても厚みに変化が無いときには、床仕上げ材４の種別が硬質の木質フローリングであると判別し、一方、差ΔＴがゼロ（０）に近くないとき、すなわち、荷重Ｗを掛けたときに収縮して厚みに差を生じるときには、クッション材が重ね合わされた防音フローリングであると判別する。
【００２２】
ステップＳ８において、木質フローリングであると判別したときには、ステップＳ９に移行し、厚み計８で計測された床仕上げ材４の厚みが１５ｍｍ以下かどうか判断する。この判断における厚みデータとしては、非荷重厚みＴ１、荷重厚みＴ２、あるいは、両厚みＴ１，Ｔ２の平均値のいずれかを有効データとして使用すれば良い。
床仕上げ材４の厚みが１５ｍｍ以下であるときには、ステップＳ１０に移行して、制御方式選択手段２８で第１の制御方式を選択し、制御方式格納部２４から第１の制御方式に対応する運転開始初期の設定値を取り出して通水温度制御手段２５に設定する。
一方、床仕上げ材４の厚みが１５ｍｍを超えるときには、ステップＳ１１に移行して、制御方式選択手段２８で第２の制御方式を選択し、制御方式格納部２４から第２の制御方式に対応する運転開始初期の設定値を取り出して通水温度制御手段２５に設定する。
【００２３】
ステップＳ８において、防音フローリングであると判別したときには、ステップＳ１２に移行し、厚みの差ΔＴが、例えば２ｍｍなどの設定厚みＴｓ以下かどうか判断する。
厚みの差ΔＴが設定厚みＴｓ以下であるときには、ステップＳ１３に移行して、制御方式選択手段２８で第１の制御方式を選択し、制御方式格納部２４から第１の制御方式に対応する運転開始初期の設定値を取り出して通水温度制御手段２５に設定する。
一方、厚みの差ΔＴが設定厚みＴｓを超えるときには、ステップＳ１４に移行して、制御方式選択手段２８で第２の制御方式を選択し、制御方式格納部２４から第２の制御方式に対応する運転開始初期の設定値を取り出して通水温度制御手段２５に設定する。
ステップＳ１０，Ｓ１１，Ｓ１３，Ｓ１４のいずれかを経た後は、ステップＳ１５に移行し、運転ランプ２２の点滅を停止するとともにブザー２１を鳴らし、運転開始初期の設定値の設定処理が完了したことを報知して終了する。
上記ステップＳ９およびＳ１２が床仕上げ材種別判別手段２３の制御方式選択手段２８に相当する。
【００２４】
上記実施例では、厚み計８で床仕上げ材４の厚みを計測し、その計測した厚みに基づいて、床暖房リモコン９の運転開始初期の設定値の設定処理を行うように構成しているが、本発明としては、例えば、厚み計８自体に、厚みに対応する床仕上げ材４の種別を予め記憶させておき、計測された厚みに応じて、例えば、木質フローリングの一般床仕上げ材対応用（木質・第１の制御方式）を表示させ、作業者がその表示結果を見て、床暖房リモコン９を適切に選択して運転開始初期の制御方式を適切に設定できるようにするものでも良い。
すなわち、本発明の床暖房システムの床仕上げ材の種別判別方法は、床仕上げ材４の厚みを計測し、その計測した厚みに基づいて床仕上げ材４の種別を判別するものであれば良い。
【符号の説明】
【００２５】
２…放熱パネル
４…床仕上げ材
５…熱媒流通管
６…板状基材
７…均熱シート
８…厚み計
２３…床仕上げ材種別判別手段
２７…木質・防音判別手段
２８…制御方式選択手段
【図１】
0006408411.tif 000002
【図２】
0006408411.tif 000003
【図３】
0006408411.tif 000004
【図４】
0006408411.tif 000005
【図５】
0006408411.tif 000006
【図６】
0006408411.tif 000007